(57)【特許請求の範囲】
【請求項１】
通信回線を介して受信した情報を蓄積しておく記憶手段を有し、その受信情報を上記通信回線を利用した遠隔制御によって別の通信装置に転送可能な遠隔制御機能を備えた通信装置であって、
上記別の通信装置から遠隔制御開始コードを受信すると、上記遠隔制御機能を開始させる遠隔制御開始手段と、
上記遠隔制御開始手段によって遠隔制御機能が開始された後、上記記憶手段に蓄積された上記受信情報の蓄積状況を、上記別の通信装置に通知する蓄積状況通知手段と、
上記通信回線を介して受信した情報が上記記憶手段に蓄積されると、あらかじめ設定登録された上記転送先を呼び出す転送先呼び出し手段と、
上記転送先呼び出し手段による上記転送先の呼び出しに応答して、その転送先から遠隔制御開始コードを受信した場合、上記遠隔制御開始手段によって遠隔制御機能が開始されても、上記蓄積状況通知手段を始動させない呼び出し転送制御手段とを有することを特徴とする通信装置。
【請求項２】
上記呼び出し転送制御手段は、上記蓄積状況通知手段を始動させることなく、上記転送先からの遠隔制御コマンドの受信に応じて上記受信情報を転送させている、請求項１に記載の通信装置。
【請求項３】
上記転送先呼び出し手段によって転送先を呼び出すことなく、任意に別の通信装置から遠隔制御開始コードを受信した場合、上記遠隔制御開始手段による遠隔制御機能の開始に応じて、上記蓄積状況通知手段を始動させるとともに、その蓄積状況通知手段による通知終了後に、上記別の通信装置からの遠隔制御コマンドの受信に応じて上記受信情報を転送させる任意転送制御手段を有している、請求項１または請求項２に記載の通信装置。
【請求項４】
上記受信情報には、上記通信回線を介して受信した音声データが含まれている、請求項１ないし請求項３のいずれかに記載の通信装置。
【請求項５】
上記受信情報には、上記通信回線を介して受信した画像データが含まれている、請求項１ないし請求項４のいずれかに記載の通信装置。
【請求項６】
通信回線を介して受信した情報を蓄積しておく記憶手段を有し、その受信情報を上記通信回線を利用した遠隔制御によって別の通信装置に転送可能な遠隔制御機能を備えた通信装置を制御するためのプログラムを記憶した記憶媒体であって、
上記別の通信装置から遠隔制御開始コードを受信すると、上記遠隔制御機能を開始させるための遠隔制御開始プログラムと、
上記遠隔制御開始プログラムに基づいて遠隔制御機能が開始された後、上記記憶手段に蓄積された上記受信情報の蓄積状況を、上記別の通信装置に通知するための蓄積状況通知プログラムと、
上記通信回線を介して受信した情報が上記記憶手段に蓄積されると、あらかじめ設定登録された上記転送先を呼び出すための転送先呼び出しプログラムと、
上記転送先呼び出しプログラムに基づく上記転送先の呼び出しに応答して、その転送先から遠隔制御開始コードを受信した場合、上記遠隔制御開始プログラムに基づいて遠隔制御機能が開始されても、上記蓄積状況通知プログラムを始動させない呼び出し転送制御プログラムとを含むプログラムを記憶したことを特徴とする記憶媒体。
【発明の詳細な説明】
【０００１】
【発明の属する技術分野】
本発明は、受信した音声データや画像データなどの受信情報を他の通信装置に転送可能な通信装置、およびその通信装置を制御するためのプログラムを記憶した記憶媒体に関する。
【０００２】
【従来の技術】
従来、通信装置の一例として、たとえばファクシミリ装置などにおいては、機能の充実化が図られており、留守番機能やリモートコントロール機能といった各種の機能を搭載したものがある。
【０００３】
そのような多機能化が図られたファクシミリ装置では、留守番モード時、音声やファクシミリ画像を受信すると、これら受信情報が留守番機能に基づいてメモリに蓄積されている。また、リモートコントロール機能では、他のファクシミリ装置から公衆電話回線を介して当該ファクシミリ装置にリモコンアクセスコードを入力することで、リモートコントロールモードの開始が可能とされており、そのリモートコントロールモードの開始後、リモコンアクセスコマンドを入力することで、他のファクシミリ装置から当該ファクシミリ装置の制御が可能とされている。このようにしてリモコンアクセスコードの入力によってリモートコントロールモードが開始されると、留守番モード時に受信した受信情報の有無や種別などの蓄積状況がビープ音などで通知され、ビープ音による通知が終わると、他の通信装置からリモコンアクセスコマンドを入力することで受信情報の転送が開始されるようになっている。さらに、ファクシミリ装置の中には、留守番モード時の受信に応じて、あらかじめ設定登録された別の通信装置を自動的に呼び出す自動呼び出し機能を備えたものもある。
【０００４】
【発明が解決しようとする課題】
しかし、上記従来の多機能化が図られたファクシミリ装置では、リモートコントロールモードを開始させた場合、受信情報の蓄積状況をビープ音によって通知した後でなければ、リモコンアクセスコマンドを受け付けることができないので、自動呼び出し機能に基づいて別の通信装置で呼び出しを受けた後、その呼び出しに応じて受信情報が蓄積されていることが明らかであるにもかかわらず、リモートコントロールモード開始直後にリモコンアクセスコマンドを入力して、リモートコントロール機能を駆使した転送制御を直ちに行うことができないという不具合があった。
【０００５】
本発明は、上記の点に鑑みて提案されたものであって、自動呼び出し機能に応じて遠隔制御を行う際には、受信情報の蓄積状況をビープ音などによって通知することなく、直ちに転送制御を行うことができる通信装置、およびその通信装置を制御するためのプログラムを記憶した記憶媒体を提供することを目的としている。
【０００６】
【課題を解決するための手段】
上記目的を達成するために、請求項１に記載した発明の通信装置は、通信回線を介して受信した情報を蓄積しておく記憶手段を有し、その受信情報を上記通信回線を利用した遠隔制御によって別の通信装置に転送可能な遠隔制御機能を備えた通信装置であって、上記別の通信装置から遠隔制御開始コードを受信すると、上記遠隔制御機能を開始させる遠隔制御開始手段と、上記遠隔制御開始手段によって遠隔制御機能が開始された後、上記記憶手段に蓄積された上記受信情報の蓄積状況を、上記別の通信装置に通知する蓄積状況通知手段と、上記通信回線を介して受信した情報が上記記憶手段に蓄積されると、あらかじめ設定登録された上記転送先を呼び出す転送先呼び出し手段と、上記転送先呼び出し手段による上記転送先の呼び出しに応答して、その転送先から遠隔制御開始コードを受信した場合、上記遠隔制御開始手段によって遠隔制御機能が開始されても、上記蓄積状況通知手段を始動させない呼び出し転送制御手段とを有することを特徴としている。
【０００７】
この通信装置によれば、受信した情報が記憶手段に蓄積されると、設定登録された転送先が自動的に呼び出され、その自動呼び出しに応じた転送先から遠隔制御開始コードを受信することによって遠隔制御機能が開始される。この際、遠隔制御機能が開始されても、受信情報の蓄積状況が転送先に通知されないので、その呼び出し自体によって何らかの情報を受信したことが明らかであることから、遠隔制御機能に応じた処理を直ちに行うことができる。
【０００８】
通信回線としては、公衆回線であっても専用回線であってもよく、また有線であっても無線であってもよい。
【０００９】
また、請求項２に記載した発明の通信装置は、請求項１に記載の通信装置であって、上記呼び出し転送制御手段は、上記蓄積状況通知手段を始動させることなく、上記転送先からの遠隔制御コマンドの受信に応じて上記受信情報を転送させている。
【００１０】
この通信装置によれば、請求項１に記載の通信装置による効果に加えて、転送先からの遠隔制御コマンドに応じて受信情報の転送が開始されるので、自動呼び出しを受けた転送先から遠隔制御を行う際には、受信情報の蓄積状況が通知されない期間中に遠隔制御コマンドを送信することで、受信情報の転送を直ちに行うことができる。
【００１１】
さらに、請求項３に記載した発明の通信装置は、請求項１または請求項２に記載の通信装置であって、上記転送先呼び出し手段によって転送先を呼び出すことなく、任意に別の通信装置から遠隔制御開始コードを受信した場合、上記遠隔制御開始手段による遠隔制御機能の開始に応じて、上記蓄積状況通知手段を始動させるとともに、その蓄積状況通知手段による通知終了後に、上記別の通信装置からの遠隔制御コマンドの受信に応じて上記受信情報を転送させる任意転送制御手段を有している。
【００１２】
この通信装置によれば、請求項１または請求項２に記載の通信装置による効果に加えて、自動呼び出し機能によることなく、任意に別の通信装置から遠隔制御を行う際には、受信情報の蓄積状況が通知された後、受信情報の転送を開始させることができるので、受信情報の蓄積状況が明らかでない場合などに対応して、別の通信装置から受信情報の蓄積状況を確認した後、受信情報の転送を開始させることができる。
【００１３】
また、請求項４に記載した発明の通信装置は、請求項１ないし請求項３のいずれかに記載の通信装置であって、上記受信情報には、上記通信回線を介して受信した音声データが含まれている。
【００１４】
この通信装置によれば、請求項１ないし請求項３のいずれかに記載の通信装置による効果に加えて、受信情報には、通信回線を介して受信した音声データが含まれているので、たとえば留守番録音機能などによって録音された音声を、遠隔制御によってすぐに別の通信装置に転送して聞き出すことができる。
【００１５】
さらに、請求項５に記載した発明の通信装置は、請求項１ないし請求項４のいずれかに記載の通信装置であって、上記受信情報には、上記通信回線を介して受信した画像データが含まれている。
【００１６】
この通信装置によれば、請求項１ないし請求項４のいずれかに記載の通信装置による効果に加えて、受信情報には、通信回線を介して受信した画像データが含まれているので、たとえば受信画像メモリ機能などによって記憶されたファクシミリ画像を、遠隔制御によってすぐに別の通信装置に転送して取り出すことができる。
【００１７】
また、請求項６に記載した発明の記憶媒体は、通信回線を介して受信した情報を蓄積しておく記憶手段を有し、その受信情報を上記通信回線を利用した遠隔制御によって別の通信装置に転送可能な遠隔制御機能を備えた通信装置を制御するためのプログラムを記憶した記憶媒体であって、上記別の通信装置から遠隔制御開始コードを受信すると、上記遠隔制御機能を開始させるための遠隔制御開始プログラムと、上記遠隔制御開始プログラムに基づいて遠隔制御機能が開始された後、上記記憶手段に蓄積された上記受信情報の蓄積状況を、上記別の通信装置に通知するための蓄積状況通知プログラムと、上記通信回線を介して受信した情報が上記記憶手段に蓄積されると、あらかじめ設定登録された上記転送先を呼び出すための転送先呼び出しプログラムと、上記転送先呼び出しプログラムに基づく上記転送先の呼び出しに応答して、その転送先から遠隔制御開始コードを受信した場合、上記遠隔制御開始プログラムに基づいて遠隔制御機能が開始されても、上記蓄積状況通知プログラムを始動させない呼び出し転送制御プログラムとを含むプログラムを記憶したことを特徴としている。
【００１８】
この記憶媒体によれば、記憶されたプログラムに基づいてＣＰＵを動作させることにより、請求項１に記載の通信装置の動作を実現することができる。
【００１９】
【発明の実施の形態】
以下、本発明の好ましい実施の形態ついて図面を参照して具体的に説明する。
【００２０】
図１は、本発明にかかる通信装置の一例としてファクシミリ装置の回路構成を示した回路ブロック図であって、この図に示すように、ファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、音声コーデック１０、読取部１１、記録部１２、操作部１３、および表示部１４を具備して構成されている。ＣＰＵ１、ＮＣＵ２、ＲＡＭ３、モデム４、ＲＯＭ５、ＥＥＰＲＯＭ６、ゲートアレイ７、コーデック８、ＤＭＡＣ９、および音声コーデック１０は、バス線により相互に接続されている。バス線には、アドレスバス、データバス、および制御信号線が含まれる。ゲートアレイ７には、読取部１１、記録部１２、操作部１３、および表示部１４が接続されている。ＮＣＵ２には、通信網の一例としての公衆電話回線２１が接続されている。
【００２１】
ＣＰＵ１は、ファクシミリ装置全体を制御する。ＮＣＵ２は、公衆電話回線２１に接続されて網制御を行う。ＲＡＭ３は、充電電池などの電池（図示省略）により電源バックアップが施されており、音声データや画像データなどの各種データを記憶する。モデム４は、送信データの変調や受信データの復調などを行う。ＲＯＭ５は、各種のプログラムや初期設定値などのデータを記憶している。ＥＥＰＲＯＭ６は、各種のフラグや登録データなどを記憶する。ゲートアレイ７は、ＣＰＵ１の入出力インターフェースとして機能する。コーデック８は、ファクシミリ送信データの符号化やファクシミリ受信データの復号化を行う。ＤＭＡＣ９は、ＲＡＭ３へのデータの書き込みや読み出しを行う。音声コーデック１０は、アナログの音声信号およびデジタルの音声データを相互に変換する。
【００２２】
読取部１１は、光源やイメージセンサなどを備えており、アナログの画像信号を出力する。記録部１２は、たとえばインクジェット方式の記録装置を備えており、受信画像やコピー時の読取画像などを記録用紙上に記録する。操作部１３は、キースイッチ群などからなり、使用者の操作入力に応じた操作信号を出力する。表示部１４は、ＬＣＤなどの表示パネルからなり、ＣＰＵ１に制御されて各種の表示を行う。
【００２３】
要点について説明すると、このファクシミリ装置には、留守番機能や自動呼び出し機能、あるいはリモートコントロール機能といった各種の機能が装備されており、留守番モード時、相手先からの音声やファクシミリ画像を受信すると、これら受信情報が音声データや画像データとしてＲＡＭ３に一旦記憶される。また、自動呼び出し機能においては、留守番モード時に呼び出すべき他の通信装置の電話番号がＥＥＰＲＯＭ６に設定登録されており、ＣＰＵ１は、留守番モード時にＲＡＭ３に受信情報を蓄積すると、その後、ＥＥＰＲＯＭ６に設定登録された電話番号を発信して他の通信装置を呼び出すこととなる。また、リモートコントロール機能では、他の通信装置から公衆電話回線２１を介して当該ファクシミリ装置にリモコンアクセスコード（遠隔制御開始コード）が入力されることで、リモートコントロールモードが開始される。このモードが開始された直後、ＣＰＵ１は、ＲＡＭ３に蓄積された受信情報の有無や種別を示す蓄積状況をビープ音によって通知する。具体的な一例としては、受信情報として画像データのみが蓄積されている場合、ビープ音が１回、音声データのみの場合はビープ音が２回、そして、画像データおよび音声データの両方が蓄積されている場合には、ビープ音が３回発生する。このようなビープ音による蓄積状況の通知後、他の通信装置からリモコンアクセスコマンド（遠隔制御コマンド）を入力することで、リモートコントロール機能に基づく受信情報の転送が可能とされている。
【００２４】
一方、自動呼び出し機能による呼び出しに応じて他の通信装置からリモートコントロールモードを開始させる場合、ＣＰＵ１は、他の通信装置から入力されたリモコンアクセスコードを受信しても、蓄積状況の通知を行わない。つまり、自動呼び出し機能に基づいて他の通信装置に対して呼び出しがあった場合、その他の通信装置で呼び出しを受けた使用者は、受信情報がＲＡＭ３に蓄積されていることが呼び出されたこと自体によって明らかである。したがって、ＣＰＵ１は、リモコンアクセスコードの入力によってリモートコントロールモードが開始されても、ビープ音を発生させることなく受信情報の蓄積状況を通知することはない。これにより、自動呼び出し機能に応じてリモートコントロールモードを開始させた場合、リモートコントロール機能に応じたリモコンアクセスコマンドの入力を他の通信装置からすぐに行うことができる。
【００２５】
すなわち、ＲＡＭ３は、通信回線を介して受信した情報を蓄積しておく記憶手段を実現している。
【００２６】
ＣＰＵ１は、別の通信装置から遠隔制御開始コードを受信すると、遠隔制御機能を開始させる遠隔制御開始手段と、上記遠隔制御開始手段によって遠隔制御機能が開始された後、上記記憶手段に蓄積された上記受信情報の蓄積状況を、上記別の通信装置に通知する蓄積状況通知手段と、上記通信回線を介して受信した情報が上記記憶手段に蓄積されると、あらかじめ設定登録された上記転送先を呼び出す転送先呼び出し手段と、上記転送先呼び出し手段による上記転送先の呼び出しに応答して、その転送先から遠隔制御開始コードを受信した場合、上記遠隔制御開始手段によって遠隔制御機能が開始されても、上記蓄積状況通知手段を始動させない呼び出し転送制御手段とを実現している。また、ＣＰＵ１は、上記転送先呼び出し手段によって転送先を呼び出すことなく、任意に別の通信装置から遠隔制御開始コードを受信した場合、上記遠隔制御開始手段による遠隔制御機能の開始に応じて、上記蓄積状況通知手段を始動させるとともに、その蓄積状況通知手段による通知終了後に、上記別の通信装置からの遠隔制御コマンドの受信に応じて上記受信情報を転送させる任意転送制御手段を実現している。
【００２７】
ＲＯＭ３は、通信回線を介して受信した情報を蓄積しておく記憶手段を有し、その受信情報を上記通信回線を利用した遠隔制御によって別の通信装置に転送可能な遠隔制御機能を備えた通信装置を制御するためのプログラムを記憶した記憶媒体であって、上記別の通信装置から遠隔制御開始コードを受信すると、上記遠隔制御機能を開始させるための遠隔制御開始プログラムと、上記遠隔制御開始プログラムに基づいて遠隔制御機能が開始された後、上記記憶手段に蓄積された上記受信情報の蓄積状況を、上記別の通信装置に通知するための蓄積状況通知プログラムと、上記通信回線を介して受信した情報が上記記憶手段に蓄積されると、あらかじめ設定登録された上記転送先を呼び出すための転送先呼び出しプログラムと、上記転送先呼び出しプログラムに基づく上記転送先の呼び出しに応答して、その転送先から遠隔制御開始コードを受信した場合、上記遠隔制御開始プログラムに基づいて遠隔制御機能が開始されても、上記蓄積状況通知プログラムを始動させない呼び出し転送制御プログラムとを含むプログラムを記憶した記憶媒体を実現している。
【００２８】
次に、上記構成を有するファクシミリ装置の動作の要点について、図２に示すフローチャートを参照して説明する。
【００２９】
図２は、ファクシミリ装置におけるリモートコントロール処理の動作手順を示したフローチャートである。
【００３０】
この図に示すように、まず、ＣＰＵ１は、回線が接続されていない状況で待ち受け処理を実行している（Ｓ１）。なお、この時点では、留守番機能が作動されている状態とする。
【００３１】
待ち受け処理中、ＣＰＵ１は、留守番機能が作動された状態であるため、呼出信号に応じて回線を接続した状態とするが、そのようにして回線が接続されると、ＣＰＵ１は、留守番応答メッセージなどが流れる前の数秒程度の一定時間内に、呼び出し元からリモコンアクセスコードが入力されたか否かを検知する（Ｓ２）。このリモコンアクセスコードは、トーン信号の送出可能な呼び出し元からのキー操作に応じて入力される。
【００３２】
回線が接続された状態となっても呼び出し元からリモコンアクセスコードが入力されない場合（Ｓ２：ＮＯ）、ＣＰＵ１は、応答メッセージに続いて呼び出し元から音声信号あるいは画像信号などの情報を受信することによって、その受信情報をＲＡＭ３に蓄積したか否かを判断する（Ｓ３）。
【００３３】
受信した情報全てをＲＡＭ３に蓄積したと判断すると（Ｓ３：ＹＥＳ）、ＣＰＵ１は、自動呼び出しモードに設定されているか否かを判断する（Ｓ４）。この自動呼び出しモードは、使用者が操作部１３の所定キーを操作することによって、相手先から情報を受信する以前に設定されるものである。
【００３４】
自動呼び出しモードに設定されている場合（Ｓ４：ＹＥＳ）、ＣＰＵ１は、転送先呼び出し処理を実行する（Ｓ５）。この転送先呼び出し処理とは、ＣＰＵ１の制御によって予め設定登録された転送先の電話番号を発信することにより、その転送先を呼び出す処理であり、ここでは、転送先が呼び出しに対して応答し、回線が閉結されるまでの一連の動作をいうものとする。
【００３５】
転送先呼び出し処理によって転送先と回線接続された状態となると、ＣＰＵ１は、数秒程度の一定時間内に転送先からリモコンアクセスコードが入力されたか否かを検知する（Ｓ６）。この場合、Ｓ２とは異なり、応答メッセージなどが流れることはない。
【００３６】
そして、転送先からリモコンアクセスコードが入力されると（Ｓ６：ＹＥＳ）、ＣＰＵ１は、数秒程度の無音状態を一定時間維持し続ける（Ｓ７）。つまり、自動的に呼び出した転送先から回線接続された状態でリモコンアクセスコードが入力された場合、その転送先で呼び出しを受けた使用者にとっては、呼び出されたこと自体によってＲＡＭ３に受信情報が蓄積されたことが明らかであるため、ＣＰＵ１は、受信情報の有無や種別などを示す蓄積状況をビープ音などによって通知する必要はない。
【００３７】
そのような無音状態の期間中、ＣＰＵ１は、リモコンアクセスコードの入力に続いてリモコンアクセスコマンドが入力されたか否かを検知する（Ｓ８）。このようなリモコンアクセスコマンドは、上記リモコンアクセスコードと同様に、トーン信号の送出可能な転送先からのキー操作に応じて入力される。
【００３８】
リモコンアクセスコマンドが転送先から入力されると（Ｓ８：ＹＥＳ）、ＣＰＵ１は、そのリモコンアクセスコマンドに応じた受信情報の転送処理を開始し  （Ｓ９）、その後、転送処理を終えることで回線開放し、この自動呼び出し機能に基づくリモートコントロールモードに関するルーチンを終了する。
【００３９】
Ｓ８において、無音状態とされた一定時間内にリモコンアクセスコマンドが入力されない場合（Ｓ８：ＮＯ）、ＣＰＵ１は、強制的に回線開放してリモートコントロールモードに関するルーチンを終了する。
【００４０】
Ｓ６において、一定時間内にリモコンアクセスコードが入力されない場合（Ｓ６：ＮＯ）、ＣＰＵ１は、リモコンアクセスコードの入力があるまで繰り返しこのＳ６の判断処理を実行する。
【００４１】
Ｓ４において、自動呼び出しモードに設定されておらず、単なる留守番モードのみが設定されている場合（Ｓ４：ＮＯ）、ＣＰＵ１は、Ｓ１の待ち受け処理に戻って再び待機状態となる。
【００４２】
Ｓ３において、ＲＡＭ３に受信情報が蓄積されなかった場合（Ｓ３：ＮＯ）、ＣＰＵ１は、Ｓ１の待ち受け処理に戻って再び待機状態となる。
【００４３】
Ｓ２において、呼び出し元からリモコンアクセスコードが入力されたことを検知した場合（Ｓ２：ＹＥＳ）、ＣＰＵ１は、蓄積状況通知処理を実行し（Ｓ１０）、その後、Ｓ８の処理に移る。この蓄積状況通知処理とは、ＣＰＵ１がＲＡＭ３に蓄積された受信情報の蓄積状況を、ビープ音によって呼び出し元に通知する処理をいい、このビープ音による蓄積状況の通知を終えた後、ＣＰＵ１は、続いてリモコンアクセスコマンドが呼び出し元から入力されたか否かを判断することとなる。
【００４４】
したがって、以上の構成、動作を有するファクシミリ装置によれば、受信した情報が留守番機能によってＲＡＭ３に蓄積されると、自動呼び出しモードにおいては、あらかじめＥＥＰＲＯＭ６に設定登録された転送先が自動的に呼び出され、その自動呼び出しに応じた転送先からリモコンアクセスコードを受信することによってリモートコントロール機能が開始される。この際、リモートコントロール機能が開始されても、受信情報の蓄積状況が転送先に通知されることなく、転送先からのリモコンアクセスコマンドの入力に応じて受信情報の転送が開始されるので、自動呼び出しを受けた転送先から遠隔制御を行う際には、その呼び出し自体によって何らかの情報を受信したことが明らかであることから、受信情報の蓄積状況が通知されることなく、受信情報の転送を直ちに行うことができる。
【００４５】
なお、本実施形態において通信装置としては、画像データの送受信が可能なファクシミリ装置を適用したが、これに限ることはなく、音声データのみの送受信が可能な電話装置であってももちろんよい。
【００４６】
【発明の効果】
以上説明したように、請求項１に記載した発明の通信装置によれば、受信した情報が記憶手段に蓄積されると、設定登録された転送先が自動的に呼び出され、その自動呼び出しに応じた転送先から遠隔制御開始コードを受信することによって遠隔制御機能が開始される。この際、遠隔制御機能が開始されても、受信情報の蓄積状況が転送先に通知されないので、その呼び出し自体によって何らかの情報を受信したことが明らかであることから、遠隔制御機能に応じた処理を直ちに行うことができる。
【００４７】
また、請求項２に記載した発明の通信装置によれば、請求項１に記載の通信装置による効果に加えて、転送先からの遠隔制御コマンドに応じて受信情報の転送が開始されるので、自動呼び出しを受けた転送先から遠隔制御を行う際には、受信情報の蓄積状況が通知されない期間中に遠隔制御コマンドを送信することで、受信情報の転送を直ちに行うことができる。
【００４８】
さらに、請求項３に記載した発明の通信装置によれば、請求項１または請求項２に記載の通信装置による効果に加えて、自動呼び出し機能によることなく、任意に別の通信装置から遠隔制御を行う際には、受信情報の蓄積状況が通知された後、受信情報の転送を開始させることができるので、受信情報の蓄積状況が明らかでない場合などに対応して、別の通信装置から受信情報の蓄積状況を確認した後、受信情報の転送を開始させることができる。
【００４９】
また、請求項４に記載した発明の通信装置によれば、請求項１ないし請求項３のいずれかに記載の通信装置による効果に加えて、受信情報には、通信回線を介して受信した音声データが含まれているので、たとえば留守番録音機能などによって録音された音声を、遠隔制御によってすぐに別の通信装置に転送して聞き出すことができる。
【００５０】
さらに、請求項５に記載した発明の通信装置によれば、請求項１ないし請求項４のいずれかに記載の通信装置による効果に加えて、受信情報には、通信回線を介して受信した画像データが含まれているので、たとえば受信画像メモリ機能などによって記憶されたファクシミリ画像を、遠隔制御によってすぐに別の通信装置に転送して取り出すことができる。
【００５１】
また、請求項６に記載した発明の記憶媒体によれば、記憶されたプログラムに基づいてＣＰＵを動作させることにより、請求項１に記載の通信装置の動作を実現することができる。
【図面の簡単な説明】
【図１】本発明にかかる通信装置の一例としてファクシミリ装置の回路構成を示した回路ブロック図である。
【図２】ファクシミリ装置におけるリモートコントロール処理の動作手順を示したフローチャートである。
【符号の説明】
１    ＣＰＵ
２    ＮＣＵ
３    ＲＡＭ
４    モデム
５    ＲＯＭ
６    ＥＥＰＲＯＭ
７    ゲートアレイ
８    コーデック
９    ＤＭＡＣ
１０  音声コーデック
１１  読取部
１２  記録部
１３  操作部
１４  表示部
２１  公衆電話回線
【図１】
0003622495.tif 000002
【図２】
0003622495.tif 000003